(57)【要約】【課題】日除け用のつば付きの帽子或は扇子として使用でき、使用しないときにはコンパクトに折り畳み可能であり、特に、つば付き帽子としての使用時に、つばが特有のデザイン性を発揮して独創性に優れた美観を呈する扇子兼用折り畳み帽子を提供する。【解決手段】基部１０側に第１湾曲部１１を、第１湾曲部１１よりも先方側に逆方向に湾曲する第２湾曲部１２を形成して骨部材２を設け、基部１０側を軸着部１３で軸着して拡縮方向に折り畳み可能に設け、拡げた状態の骨部材２にシート状部材３を固着し、骨部材２を中間状態に拡げたときには扇子を構成し、さらに拡げた状態のときには凹状部２０、ひさし部２１を形成して帽子本体１を構成し、ひさし部２１の先端部２２が水平方向よりも上向きになるように第２湾曲部１２を湾曲形成し、ひさし部２１と凹状部２０とにシート状部材３をそれぞれ固着してひさし部２１にフリル部２５を設けた。【選択図】図１
0003192470.tif 000002
【実用新案登録請求の範囲】
【請求項１】
基部側に第１湾曲部を、この第１湾曲部よりも先方側に逆方向に湾曲する第２湾曲部を形成して骨部材を設け、この骨部材の複数本の基部側を軸着部で軸着して拡縮方向に折り畳み可能に設け、かつ、拡げた状態の前記骨部材にシート状部材を固着すると共に、前記骨部材を前記軸着部を中心に中間状態に拡げたときには扇子を構成し、中間状態よりもさらに拡げた状態のときには前記第１湾曲部により頭部収容用の凹状部を設け、かつ、前記第２湾曲部によりひさし部を形成して帽子本体を構成し、この帽子本体の前記ひさし部の先端部が水平方向よりも上向きになるように前記第２湾曲部を湾曲形成し、前記ひさし部と凹状部とに前記シート状部材をそれぞれ固着して前記ひさし部にフリル部を設けたことを特徴とする扇子兼用折り畳み帽子。
【請求項２】
両端側の前記骨部材に相互に着脱可能な面ファスナーを取付け、帽子本体に拡げたときにこの面ファスナーの仮着によりその形状を保持するようにした請求項１に記載の扇子兼用折り畳み帽子。
【請求項３】
前記骨部材の中間位置に頭部への装着時に締め位置を調整可能な顎紐を設け、この顎紐を折り畳み時に巻き付け用の巻紐として兼用可能に設けた請求項１又は２に記載の扇子兼用折り畳み帽子。
【考案の詳細な説明】
【技術分野】
【０００１】
本考案は、使用しないときには折り畳んで収納することが可能な折り畳み帽子であり、扇子として使用することも可能な扇子兼用折り畳み帽子に関する。
【背景技術】
【０００２】
従来より、この種の帽子として、例えば、特許文献１の帽子が提案されている。この帽子は、湾曲した波形状の弾性骨の一端部が枢着されて開閉作動可能に設けられていると共に、各弾性骨が扇形状の布部材で連結され、両自由端の弾性骨に連結具が取付けられている。これにより、枢着部を中心に各弾性骨が拡開作動されて両自由端が連結部で連結されたときに頭部装着用のつば付き帽子として日除け等に使用され、各弾性骨が扇形状に拡開作動されたときに扇子として使用される。そして、不使用時には、弾性骨が閉作動されて折り畳み可能に設けられている。
一方、特許文献２の帽子兼用の扇子は、複数の骨板同士が互いに軸部により回動可能に軸止めされ、骨板の間には布、紙等の貼布が貼られ、骨板に湾曲部が設けられていることにより、骨板が拡げられたときに扇ぐことができ、かつ、つば付き帽子としても使用可能になっている。
これらを帽子として使用する際には、骨部材の湾曲形状により軸着部分を中心に中央付近に頭部収容用の凹部が形成され、この凹部の外周側に幅広状のつばが形成される態様となっている。
【先行技術文献】
【特許文献】
【０００３】
【特許文献１】特開平８−３８１１号公報
【特許文献２】登録実用新案第３０１２５８９号公報
【考案の概要】
【考案が解決しようとする課題】
【０００４】
特許文献１や特許文献２の扇子兼用の帽子は、骨部材の中央付近は湾曲形状であるが、つば側の先端部付近は直線状に形成されている。このため、これらをつば付き帽子として使用するときには、つばの先端側が略水平状に広がって鍔部全体が略円錐形状となる。さらに、頭部側からつば部側にかけて同一部材からなる布が貼り付けられていることで、帽子として組立てたときに頭部側からつば部側にかけて布部材の張り具合が一様になり、つば部側においても頭部側と同様に布部材にほぼしわの無いデザインとなる。
このように、これらにおいては、帽子と扇子としての兼用性が開発思想の中心になっており、つば付き帽子として使用するときのデザイン性が考慮されていない。このため、独創性に乏しいデザインになり装飾性が失われていた。
【０００５】
本考案は、上記の実情に鑑みて、鋭意検討の結果、開発に至ったものであり、その目的とするところは、日除け用のつば付きの帽子或は扇子として使用でき、使用しないときにはコンパクトに折り畳み可能であり、特に、つば付き帽子としての使用時に、つばが特有のデザイン性を発揮して独創性に優れた美観を呈する扇子兼用折り畳み帽子を提供することにある。
【課題を解決するための手段】
【０００６】
上記目的を達成するために、請求項１に係る考案は、基部側に第１湾曲部を、この第１湾曲部よりも先方側に逆方向に湾曲する第２湾曲部を形成して骨部材を設け、この骨部材の複数本の基部側を軸着部で軸着して拡縮方向に折り畳み可能に設け、かつ、拡げた状態の骨部材にシート状部材を固着すると共に、骨部材を軸着部を中心に中間状態に拡げたときには扇子を構成し、中間状態よりもさらに拡げた状態のときには第１湾曲部により頭部収容用の凹状部を設け、かつ、第２湾曲部によりひさし部を形成して帽子本体を構成し、この帽子本体のひさし部の先端部が水平方向よりも上向きになるように第２湾曲部を湾曲形成し、ひさし部と凹状部とにシート状部材をそれぞれ固着してひさし部にフリル部を設けた扇子兼用折り畳み帽子である。
【０００７】
請求項２に係る考案は、両端側の骨部材に相互に着脱可能な面ファスナーを取付け、帽子本体に拡げたときにこの面ファスナーの仮着によりその形状を保持するようにした扇子兼用折り畳み帽子である。
【０００８】
請求項３に係る考案は、骨部材の中間位置に頭部への装着時に締め位置を調整可能な顎紐を設け、この顎紐を折り畳み時に巻き付け用の巻紐として兼用可能に設けた扇子兼用折り畳み帽子である。
【考案の効果】
【０００９】
請求項１に係る考案によると、骨部材の複数本の基部側を軸着して拡縮方向に折り畳み可能に設けていることで、日除け用のつば付き帽子或は扇子として使用でき、使用しないときにはコンパクトに折り畳んで収納や携帯が容易になり、特に、頭部に装着する際には、つばであるひさし部の先端部が第２湾曲部によって水平方向よりも上向きになり、かつ、ひさし部にフリル部を設けていることにより、つば広状のひさし部によって日除け用としての機能性を十分に発揮しつつ、このひさし部がフリル部による特有のデザイン性を発揮して独創性に優れた美観を呈する。一方、扇子として使用する際には、空気を囲うように扇ぐことができることで適度の風量が得られ、骨部材を拡縮してシート状部材の表面積を変えることでこの風量を調節できると共に、手の大きさ等に合わせて持ちやすい大きさに設けることもできる。
【００１０】
請求項２に係る考案によると、面ファスナーにより手で簡単に両端側の骨部材を仮着して帽子本体の形状を維持して頭部からの脱落も回避できる。面ファスナーを用いていることで重量の大幅な増加を回避して軽量化でき、面ファスナーによる仮着部分が裏側に隠れることで装飾性が損なわれることもない。
【００１１】
請求項３に係る考案によると、頭部に装着する際に顎紐の締め位置を調整して装着性を向上して風などによる脱落も防止でき、一方、折り畳み時には巻き付け用の巻紐として使用して不用意な拡がりを防止することで、コンパクト性を維持しながら骨部材が折れ曲がったりシート状部材が傷ついたりすることも回避できる。
【図面の簡単な説明】
【００１２】
【図１】本考案の扇子兼用折り畳み帽子の一実施形態を示した概略斜視図である。
【図２】図１の側面図である。
【図３】本発明の扇子兼用折り畳み帽子を折り畳んだ状態を示した側面図である。
【図４】シート状部材を示した展開図である。
【図５】本発明の扇子兼用折り畳み帽子を中間位置まで拡げた状態を示した斜視図である。
【図６】図１の背面図である。
【考案を実施するための形態】
【００１３】
本考案における扇子兼用折り畳み帽子の一実施形態を図面に基づいて詳細に説明する。  図１、図２において、本考案の扇子兼用折り畳み帽子（以下、帽子本体１という）は、骨部材２、シート状部材３を有し、骨部材２に固着されたシート状部材３を拡げてつば付き帽子として使用できることに加えて、扇子としても兼用可能に設けられている。
【００１４】
骨部材２は、例えば、竹などの弾性を有する材料により薄板状に形成され、図３に示すように、基部１０側に第１湾曲部１１を、この第１湾曲部１１よりも先方側に第１湾曲部１１とは逆方向に湾曲する第２湾曲部１２が形成される。骨部材２は、略相似形状に複数設けられ、図に示すように中央付近の骨部材２が相対的に大きく、端部側付近の骨部材２が相対的に小さく設けられる。骨部材２の複数本の基部１０側は、軸着部１３で軸着されてこの軸着部１３を中心に拡縮状態に折り畳み可能に設けられている。
【００１５】
軸着部１３は、例えば、ボルト・ナット部材からなり、このボルト・ナット部材１３により締め付け力が調節されながら骨部材２の基部１０同士が枢着される。図示しないが、ボルト・ナット部材１３の上には適宜の装飾材が設けられているとよく、この場合、ボルト・ナット部材１３が外部より隠れて装飾性が向上し、かつ、ボルト・ナット部材１３の接触による怪我等も防止される。骨部材２は、帽子本体１の大きさなどに応じて適宜の数設けられ、本実施形態においては、例えば、１４本が骨組みとして設けられる。
【００１６】
図１、図２において、拡げた状態の骨部材２にはシート状部材３が接着等の手段により固着される。シート状部材３は、布或は紙などを材料として図４（ａ）、図４（ｂ）の展開図に示した形状に設けられ、本実施形態では、第１シート状部材３ａと第２シート状部材３ｂとの２枚により構成される。図４（ａ）においては第１シート状部材３ａを示しており、この第１シート状部材３ａは、略扇状に設けられて第１湾曲部１１から第２湾曲部１２の一部を覆うようにこの部分に固着される。図４（ｂ）においては、第２シート状部材３ｂを示しており、この第２シート状部材３ｂは、第２湾曲部１２の先端側を覆う形状に設けられてこの部分に固着される。
【００１７】
このように骨部材２にシート状部材３ａ、３ｂがそれぞれ固着され、図５に示すように骨部材２が軸着部１３を中心に中間状態まで拡げられたときに扇子が構成され、この扇子を把持して扇ぐことが可能になる。
【００１８】
図１、図２に示すように、扇子である中間状態よりもさらに骨部材２が拡げられた状態になった場合には、第１湾曲部１１により頭部収容用の略半球状の凹状部２０が設けられ、かつ、第２湾曲部１２によりひさし部２１が形成されて帽子本体１が構成され、凹状部２０付近に第１シート部材３ａ、ひさし部２１付近に第２シート部材３ｂが位置するようになっている。
【００１９】
この場合、帽子本体１には、ひさし部２１の先端部２２が水平方向よりも上向きになる形状に第２湾曲部１２が湾曲形成されており、図２に示すように、帽子本体１の状態で、第２シート状部材３ｂの裏側が側方から視認可能となる。
【００２０】
さらに、ひさし部２１側に設けられる第２シート状部材３ｂは、絞られた状態で固着されており、これによってひさし部２１にはフリル部２５が設けられる。
【００２１】
図５、図６に示すように、両端側の骨部材２の先端部付近には相互に着脱可能な面ファスナー３０が取付けられ、帽子本体１の状態に拡げたときにこれら面ファスナー３０、３０同士を仮着可能になっている。これらの面ファスナー３０の仮着により帽子本体１の形状が保持され、この面ファスナー３０が表面側に出ることもない。面ファスナー３０は、必ずしも骨部材２の先端部２２側のみに設けられている必要はなく、両端側の骨部材２の長さ方向の中間付近や基部１０から先端部２２までの長さ方向全体に渡って設けられていてもよい。また、両端側の骨部材２を着脱可能に仮着できるものであれば、面ファスナー３０以外の着脱部材を用いるようにしてもよい。
【００２２】
骨部材２のうち、帽子本体１の状態に拡げたときの両耳付近に位置する骨部材２に対して、その中間位置に顎紐４０が設けられている。顎紐４０は両端部において骨部材２に取付けられ、この顎紐４０には筒状に形成されたストッパ４１がスライド自在に取付けられ、このストッパ４１をスライドすることで顎紐４０の顎への締め位置が調節可能に設けられている。顎紐４０は、折り畳み時の帽子本体１への巻き付け用の巻紐として兼用可能になっている。
【００２３】
なお、前述した骨部材２は、弾力性を有するものであれば、竹以外の材料により形成されていてもよく、例えば、木材や樹脂などの材料で設けられていてもよい。
シート状部材３は３枚以上がつなぎ合わせられて１枚に設けられていてもよく、この場合、互いに貼着したり縫製によりつなぎ合わせることが可能である。シート状部材３は、２枚の材料が表裏側に貼り付けられていてもよく、この場合、帽子本体１を構成したときにひさし部２１の表裏側で異なるデザインとなる。さらに、シート状部材３は、帽子及び扇子としての双方の機能を満たすものであれば、樹脂などにより設けられていてもよい。
また、図示しないが、折り畳んだ帽子本体１を収納するための収納袋を巾着袋やチャック付き袋などにより設け、この収納袋に折り畳んだ状態の帽子本体１を収納するようにしてもよい。
【００２４】
続いて、本考案の上記実施形態における扇子兼用折り畳み帽子の作用を説明する。
本考案の扇子兼用折り畳み帽子は、第１湾曲部１１、第２湾曲部１２を有する骨部材２の複数本の基部１０側を軸着部１３で軸着して拡縮状態に折り畳み可能に設け、かつ、拡げた状態の骨部材２にシート状部材３を固着して、中間状態に拡げたときに扇子を構成し、中間状態よりもさらに拡げた状態のときには帽子本体１を構成可能に設けていることで、扇子又は帽子として兼用することができる。
【００２５】
図３の折り畳み時には、一般の扇子と同様に骨部材２同士が積層した状態になり、この骨部材２を介してシート状部材３も折り畳まれてコンパクト性を発揮し、このとき、顎紐４０を巻紐として帽子本体１に巻き付けるようにすれば、折り畳み状態を維持して自然に拡がったりすることがない。
【００２６】
図５に示すように、扇子として使用する際には、骨部材２を軸着部１３を中心に任意の状態まで拡げることで適宜角度の扇子として使用でき、第１湾曲部１１付近を把持して一般の扇子と同様に扇ぐことができる。このとき、第１湾曲部１１と第２湾曲部１２との各湾曲形状により、送風方向に空気を集めて大きい風力で効率的に扇ぐことができる。
【００２７】
図１、図２、図６に示すように、帽子本体１を構成する際には、骨部材２を扇子のときの中間状態よりもさらに拡げることで、軸着部１３を中心に第１湾曲部１１付近により頭部収容用の略半球状の凹状部２０が形成され、この凹状部２０に続けて第２湾曲部１２付近につば状のひさし部２１が形成される。頭部に凹状部２０側を被せるように帽子本体１を装着すると、半球状の凹状部２０に頭部がフィットして優れた装着感が得られ、このとき、顎紐４０を締め位置を調節しながら締付けることにより、個人差により大きさや形状の異なる頭部に装着するときにも帽子本体１の脱落を防止できる。
【００２８】
しかも、帽子本体１を構成したときには、ひさし部２１により日除けや雨除けなどの機能性が発揮させることに加えて、ひさし部２１の先端部２２が水平方向よりも上向きになることで、ひさし部２１の裏側が側方より表出し、かつ、第２シート状部材３ｂによりひさし部２１にフリル部が設けられることから、装飾性に優れた美観を呈する。
【００２９】
このとき、両端側の骨部材２に設けた面ファスナー３０を仮着することで帽子本体１の形状を維持して使用時の型崩れを防止できる。さらに、面ファスナー３０を両端側の骨部材２の長さ方向全体に設けるようにすれば、頭頂部付近からひさし部２１の先端部２２までの端部同士を仮着して隙間を塞ぐことも可能になる。
【符号の説明】
【００３０】
１  帽子本体
２  骨部材
３  シート状部材
３ａ  第１シート状部材
３ｂ  第２シート状部材
１０  基部
１１  第１湾曲部
１２  第２湾曲部
１３  軸着部
２０  凹状部
２１  ひさし部
２２  先端部
２５  フリル部
３０  面ファスナー
４０  顎紐
【図１】
0003192470.tif 000003
【図２】
0003192470.tif 000004
【図３】
0003192470.tif 000005
【図４】
0003192470.tif 000006
【図５】
0003192470.tif 000007
【図６】
0003192470.tif 000008